(57)【特許請求の範囲】
【請求項１】
少なくともＹＭＣの各色版に対応する３層の発色層を有する感光材料に対し各色毎の露光を行って校正印刷を得る校正装置であって、
所定のＲＩＰ処理手段によって一の画像データを２値化することにより得られる画像データの間において、Ｋ版の画像データと他の色版の画像データとを画素毎に比較して、Ｋ版の画素が他の色版のいずれかの画素と重なるかどうかを判断する判断手段と、
前記判断手段において重なると判断された場合に前記Ｋ版の画素を所定の割合で画素値が０である抜け画素になるように画素変換する抜け画素変換手段と、を備える校正装置。
【請求項２】
主走査方向に沿って定められた画素間隔で前記画素変換を行うようにしたことを特徴とする請求項１に記載の校正装置。
【請求項３】
前記画素間隔は、予め定められた値から選択可能であることを特徴とする請求項２に記載の校正装置。
【請求項４】
前記判断手段は、副走査方向に対し前記画素間隔と略同一の間隔を空けた主走査ライン毎に前記判断を行うようにしたことを特徴とする請求項２または３に記載の校正装置。
【請求項５】
前記抜け画素変換手段は、
所定のアドレス長を有するラインメモリと、
前記ラインメモリの各アドレスに対応して抜け画素の位置を設定可能な抜け画素位置設定手段と、
前記判断手段が判断するタイミングに同期して、前記ラインメモリ内の値をアドレス順に読み出すラインメモリ読出手段と、を備え、
前記ラインメモリ読出手段で読み出した値に応じて前記Ｋ版の画素を画素変換することを特徴とする請求項１ないし４のいずれかに記載の校正装置。
【請求項６】
前記ラインメモリ読出手段は、前記ラインメモリをサイクリックに読み出すようにしたことを特徴とする請求項５に記載の校正装置。
【請求項７】
前記ラインメモリ読出手段は、該当する主走査ライン毎に読出開始アドレスを変更するようにしたことを特徴とする請求項５または６に記載の校正装置。
【請求項８】
前記抜け画素位置設定手段は、乱数によって抜け位置を配置するようにしたことを特徴とする請求項１に記載の校正装置。
【請求項９】
前記抜け画素変換手段は、前記判断手段によってＫ版の画素が他版の画素と重なると判断した回数を計数し、当該計数が所定の値に達する毎に該当するＫ版の画素を抜け画素に変換するようにしたことを特徴とする請求項１ないし３のいずれかに記載の校正装置。
【請求項１０】
画像データに基づいてカラー校正印刷を行う校正装置であって、
所定のＲＩＰ処理手段によって一の画像データを２値化することにより得られる画像データの間において、Ｋ版の画像データと他の色版の画像データとを画素毎に比較してＫ版の画素が他の色版のいずれかの画素と重なるかどうかを判断するとともに、重なると判断された場合には前記Ｋ版の画素を所定の割合で画素値が０である抜け画素になるように画素変換する第１のモードと、
前記判断を行わず、Ｋ版の画像データに対し前記画素変換を行わない第２のモードとを備え、いずれかのモードを選択的に実行可能な校正装置。
【請求項１１】
画像データに基づいてカラー校正印刷を行う校正装置を使用してＫ版と他の色版との重なり状態を確認することができる校正方法であって、
所定のＲＩＰ処理手段によって一の画像データを２値化することにより各色版の画像データを準備する工程と、
前記各色版の間において、Ｋ版の画像データと他の色版の画像データとを画素毎に比較して、Ｋ版の画素が他の色版のいずれかの画素と重なるかどうかを判断する判断工程と、
前記判断工程において画素が重なると判断された場合は、前記Ｋ版の画素を所定の割合で画素値が０である抜け画素になるように画素変換する抜け画素変換工程と、からなる校正方法。
【請求項１２】
前記校正装置はＹＭＣの３色に対応する３層の発色層を有する感光材料に対し露光を施すものであって、Ｋ色はＹＭＣ色の３色未露光もしくは３色全露光で表現するものであることを特徴とする請求項１１に記載の校正方法。
【請求項１３】
前記抜け画素変換工程は、予め選択的に定められた一定の画素間隔毎に画素変換を行うようにしたことを特徴とする請求項１１または１２に記載の校正方法。
【請求項１４】
前記抜け画素変換工程は、主走査方向に沿って一定の画素間隔毎に画素変換を行うとともに、副走査方向には前記画素間隔と略同じ間隔を開けて前記判断工程を行うようにしたことを特徴とする請求項１３に記載の校正方法。
【請求項１５】
前記抜け画素変換工程は、予め設定された確率に応じて乱数的に画素変換を行うようにしたことを特徴とする請求項１１または１２に記載の校正方法。
【発明の詳細な説明】
【０００１】
【産業上の利用分野】
この発明は、印刷物を構成する画像や文字などをレイアウトして得た画像データに基づいて感光材料に対し記録を行って校正印刷を得る校正装置および校正方法に関する。
【０００２】
【従来の技術】
従来の印刷物の作成工程には、製版が指示通りに仕上がっているかどうかを検査して修正を行う校正作業があり、最終印刷物が仕上がるまでには何回かの校正作業が行われていた。この校正作業のために校正用のカラー印刷物を作成する校正装置が種々公知であり、例えばＹ（イエロー）Ｍ（マゼンタ）Ｃ（シアン）Ｋ（ブラック）に色分解したデジタル的な画像データを用いて感光材料上に画像を記録する校正装置がある。
【０００３】
このような校正装置の一つに、ＹＭＣの各色版に対応する３層の発色層を備えた感光材料上に対し３波長のレーザ光源等により画像を記録するものがある。なお、このような３層の発光層を備えた感光材料では、Ｋ色（ブラック）の発色としてはＹＭＣ３色未露光（ポジの場合）、もしくはＹＭＣ３色全露光（ネガの場合）を行うことにより達成している。
【０００４】
ところで上述した校正印刷は、印刷物の色の具合などを確認するためには校正画像を本印刷に合わせて忠実に再現するのが好ましいが、一方では製版作業が指示通り正確に完了しているかどうかを確認するためにも用いられる。一つの製版作業例として、印刷物の見当ずれを見越して「トラップ処理」や「のせ処理」を行う場合がある。これは「毛抜き合わせ」等と称されるような２以上の画像の正確な接合において見当ずれが生じても画像間に隙間が露見しないように予め一部の画像を他方の画像にかぶせておく処理や、「文字のせ」等と称されるように文字画像を他の画像上にのせる処理などである。校正作業においては、このような「トラップ処理」や「のせ処理」が正確になされているかどうかも確認できるのが好ましい。
【０００５】
【発明が解決しようとする課題】
上述のような「トラップ処理」や「のせ処理」は印刷物上では画像が重なっている。ここで一般的なオフセット印刷機やオフセット校正機であれば、例えばＫ色の画像が他色の画像に重なった領域の色とＫ色単色のみの領域の色とは、例え同じ黒色であっても微妙に発色が異なる。これによって熟練した作業者であれば上述したような「トラップ処理」や「のせ処理」なども確認することができる。
【０００６】
ところが上述したようなＹＭＣに対応した３発色層を有する感光材料を用いた場合、Ｋ色はＹＭＣ３色の未露光もしくは全露光で表現するため、出力物上ではＫ色単色領域もＫ色に他の色が重なった領域も同じ発色になってしまい、Ｋ色による「トラップ処理」や「のせ処理」などは確認することができなかった。このため指示された製版処理が未処理の場合であっても見逃してしまう可能性があった。
【０００７】
本発明は上記課題を解決するためになされたものであり、Ｋ色が他の色に重なる領域を確認することが容易な校正方法および校正装置を提供することを目的とし、特にＹＭＣに対応する３層の発色層を備えた感光材料を用いる場合に最適な校正装置および校正方法を提供することを目的とする。
【０００８】
【課題を解決するための手段】
請求項１に記載の発明は、少なくともＹＭＣの各色版に対応する３層の発色層を有する感光材料に対し各色毎の露光を行って校正印刷を得る校正装置であって、所定のＲＩＰ処理手段によって一の画像データを２値化することにより得られる画像データの間において、Ｋ版の画像データと他の色版の画像データとを画素毎に比較して、Ｋ版の画素が他の色版のいずれかの画素と重なるかどうかを判断する判断手段と、前記判断手段において重なると判断された場合に前記Ｋ版の画素を所定の割合で画素値が０である抜け画素になるように画素変換する抜け画素変換手段と、を備える。
【０００９】
請求項２に記載の発明は、請求項１に記載の校正装置において、主走査方向に沿って定められた画素間隔で前記画素変換を行うようにしたことを特徴とする。
【００１０】
請求項３に記載の発明は、請求項２に記載の校正装置において、前記画素間隔は、予め定められた値から選択可能であることを特徴とする。
【００１１】
請求項４に記載の発明は、請求項２または３に記載の校正装置において、前記判断手段は、副走査方向に対し前記画素間隔と略同一の間隔を空けた主走査ライン毎に前記判断を行うようにしたことを特徴とする。
【００１２】
請求項５に記載の発明は、請求項１ないし４のいずれかに記載の校正装置において、前記抜け画素変換手段は、所定のアドレス長を有するラインメモリと、前記ラインメモリの各アドレスに対応して抜け画素の位置を設定可能な抜け画素位置設定手段と、前記判断手段が判断するタイミングに同期して、前記ラインメモリ内の値をアドレス順に読み出すラインメモリ読出手段と、を備え、前記ラインメモリ読出手段で読み出した値に応じて前記Ｋ版の画素を画素変換することを特徴とする。
【００１３】
請求項６に記載の発明は、請求項５に記載の校正装置において、前記ラインメモリ読出手段は、前記ラインメモリをサイクリックに読み出すようにしたことを特徴とする。
【００１４】
請求項７に記載の発明は、請求項５または６に記載の校正装置において、前記ラインメモリ読出手段は、該当する主走査ライン毎に読出開始アドレスを変更するようにしたことを特徴とする。
【００１５】
請求項８に記載の発明は、請求項１に記載の校正装置において、前記抜け画素位置設定手段は、乱数によって抜け位置を配置するようにしたことを特徴とする。
【００１６】
請求項９に記載の発明は、請求項１ないし３のいずれかに記載の校正装置において、前記抜け画素変換手段は、前記判断手段によってＫ版の画素が他版の画素と重なると判断した回数を計数し、当該計数が所定の値に達する毎に該当するＫ版の画素を抜け画素に変換するようにしたことを特徴とする。
【００１７】
請求項１０に記載の発明は、画像データに基づいてカラー校正印刷を行う校正装置であって、所定のＲＩＰ処理手段によって一の画像データを２値化することにより得られる画像データの間において、Ｋ版の画像データと他の色版の画像データとを画素毎に比較してＫ版の画素が他の色版のいずれかの画素と重なるかどうかを判断するとともに、重なると判断された場合には前記Ｋ版の画素を所定の割合で画素値が０である抜け画素になるように画素変換する第１のモードと、前記判断を行わず、Ｋ版の画像データに対し前記画素変換を行わない第２のモードとを備え、いずれかのモードを選択的に実行可能である。
【００１８】
請求項１１に記載の発明は、画像データに基づいてカラー校正印刷を行う校正装置を使用しＫ版と他の色版との重なり状態を確認することができる校正方法であって、所定のＲＩＰ処理手段によって一の画像データを２値化することにより各色版の画像データを準備する工程と、前記各色版の間において、Ｋ版の画像データと他の色版の画像データとを画素毎に比較して、Ｋ版の画素が他の色版のいずれかの画素と重なるかどうかを判断する判断工程と、前記判断工程において画素が重なると判断された場合は、前記Ｋ版の画素を所定の割合で画素値が０である抜け画素になるように画素変換する抜け画素変換工程と、からなる。
【００１９】
請求項１２に記載の発明は、請求項１１に記載の校正方法において、前記校正装置はＹＭＣの３色に対応する３層の発色層を有する感光材料に対し露光を施すものであって、Ｋ色はＹＭＣ色の３色未露光もしくは３色全露光で表現するものであることを特徴とする。
【００２０】
請求項１３に記載の発明は、請求項１１または１２に記載の校正方法において、前記抜け画素変換工程は、予め選択的に定められた一定の画素間隔毎に画素変換を行うようにしたことを特徴とする。
【００２１】
請求項１４に記載の発明は、請求項１３に記載の校正方法において、前記抜け画素変換工程は、主走査方向に沿って一定の画素間隔毎に画素変換を行うとともに、副走査方向には前記画素間隔と略同じ間隔を開けて前記判断工程を行うようにしたことを特徴とする。
【００２２】
請求項１５に記載の発明は、請求項１１または１２に記載の校正方法において、前記抜け画素変換工程は、予め設定された確率に応じて乱数的に画素変換を行うようにしたことを特徴とする。
【００２３】
【発明の実施の形態】
［本発明の原理］
まず本発明におけるＫ版と他の色版との重なり状態を確認する原理について説明する。なお以下の説明では、画像を形成する感光材料としてＹＭＣに対応した３層の発色層を有するポジの感光材料を用いた例で説明する。また各画像は２値画像で形成されている。図６（Ａ）はＭ版の５０％の網点からなる網領域ｍに対しＫ版の文字「Ｅ」をのせた例を示す図である。従来例では網領域ｍ上にある文字「Ｅ」の左半分と、紙白領域ｈ（他の色版の画像がない領域）上にある文字「Ｅ」の右半分とは、同一のＫ色となる。
【００２４】
これに対し本発明では、図６（Ｂ）のように網領域ｍ上の網点が存在する箇所ではＫ版の画像は４画素毎に抜け画素を形成する。すなわちＫ版の画像は４画素間隔で画素がない状態（画素値が０、以下「抜け画素」という）であり、その部分では重なったＭ版の画素を視認することができる。この実施の形態に係る校正装置では、前記１画素が２４００ｄｐｉの解像度で約１０μｍ程度の大きさである。従って人間の目では図６（Ｃ）で示すようにＭ版が下地のように透けて視認される。
【００２５】
このように本発明の校正装置では、Ｋ版の画素が他の色版の画素と重なる場合は、Ｋ版の画素を所定の割合で抜け画素にすることによってＫ版と重なった他の色版を視認することができる。以下、図６（Ａ）のように通常状態で出力する場合を通常モード、図６（Ｃ）のようにＫ版に抜け画素を形成してＫ版の重なり状態を確認可能にするモードを確認モードと称する。
【００２６】
［校正装置の実施の形態］
以下、この発明の実施の形態を図面に基づいて説明する。図１は校正装置の側面方向断面図である。図１において、校正装置は、感光材料をその周面に保持可能なドラム１と、このドラムに対し感光材料を供給および排出する供給手段２および排出手段３と、ドラム１上の感光材料に対しカラー画像を記録する記録手段４と、上記各部を制御するとともに画像データを処理するための制御手段（図２の５）とからなる。
【００２７】
ドラム１は、その周面にシート状の感光材料を保持可能な円筒状部材であり、図示しない駆動モータにより回転可能に構成されている。供給手段２は、幅サイズの異なる２種のロール状感光材料を備えたカセット１０、１１と、各々のカセット１０、１１から引き出した感光材料をシート状に切断し、ドラム１まで搬送するシート搬送手段１２とからなる。ここで感光材料はＹＭＣに対応する３層の発色層を備える感光材料である。排出手段３は、ドラム１から記録済みの感光材料を剥離して後段の現像装置（図示しない）へ排出するものである。本実施の形態における排出手段３では、感光材料は記録面が下向きになって排出されるため、現像装置へ送り込む前に感光材料の表裏を反転する反転手段１３が備えられている。記録手段４は、ＲＧＢの３波長の光源を備えたカラー画像を記録するための記録ヘッド１４と、この記録ヘッド１４をドラム１の軸線方向に沿って駆動するための送り手段１５とからなる。なお、以後の説明では、前記ドラム１の回転方向を主走査方向、記録ヘッド１４の移動方向を副走査方向とする。
【００２８】
制御手段５は、ＣＰＵおよびメモリ、ＣＲＴなどの表示手段、マウスやキーボードなどの入力手段、およびハードディスクなどの記憶手段やバッファメモリなどを備えたコンピュータシステムであって、この実施の形態では、校正装置自体の制御と画像データの処理とを行うようにプログラムされている。
【００２９】
この制御手段５の画像機能に係る構成については、図２のブロック図を用いて説明する。図において制御手段５は、前段の図示しないＤＴＰ（desk-top-publishing）装置などにより作成された画像データＤ０をＲＩＰ処理（Raster-Image-Processing）するためのＲＩＰ処理手段２０と、処理された２値画像データＤ１を記憶するための記憶手段２１と、記憶された２値画像データＤ１からＫ版の画像データに抜け画素を形成するための抜け画素変換手段２２と、前記抜け画素変換手段２２で変換した画像データＤ２をＲＧＢ変換するためのＲＧＢ変換手段２３と、ＲＧＢ変換手段２３で生成した２値画像データＤ３を一時貯留するためのデータバッファ２４と、データバッファ２４に格納した２値画像データＤ３に基づいて前記記録ヘッド１４を駆動するドライバー２５とからなる。
【００３０】
ＲＩＰ処理手段２０は、画像データをＹＭＣＫの各色版毎にビットマップ形式で表された２値画像データＤ１に変換するものである。このＲＩＰ処理後の２値画像データＤ１は各色版毎の画像データとして送出される。なお、この実施の形態では、校正装置側においてＲＩＰ処理するようにしているが、前段の画像データ作成装置などで処理してもよい。記憶手段２１は、前記色版毎の２値画像データＤ１を４色分記憶可能な記憶容量を有したハードディスク装置などからなる。なお記憶手段２１は、画像データを圧縮して記憶し、展開して読み出す圧縮展開手段を備えるものであってもよい。
【００３１】
抜け画素変換手段２２は、Ｋ版確認モードにおいてＫ版の画像データに対し抜け画素を形成するものである。この詳細については図３を用いて後述する。なお、通常のモードであればＫ版の画像データはそのまま何も変換を行わない。ＲＧＢ変換手段２３は、前記ＹＭＣＫの各色版の画像データを記録ヘッド１４の３波長光源に合わせてＲＧＢ変換してＲＧＢ画像データＤ３を生成するものである。なおＲＧＢ変換については公知の技術であり、ＹＭＣＫの所定色の画像データの組み合わせにより対応するＲＧＢ色の画像データを生成するものであって、例えば特公平７−２２３４６号などに記載されているため、ここでの説明は省略する。
【００３２】
データバッファ２４は、前記ＲＧＢ変換された２値画像データＤ３を所定のブロック毎にバッファリングするためのメモリ装置であり、本実施の形態では主走査１２８ライン毎の画像データＤ３がＲＧＢ変換手段２３からデータバッファ２４に送出されてバッファリングされる。次の  ドライバー２５は前記データバッファに貯えられた画像データＤ３に基づき前記記録ヘッド１４内の各光源をｏｎ／ｏｆｆ制御する手段であり、これによってドラム１上の感光材料に対し画像を記録することができる。
【００３３】
上述したように、前記制御手段５はマイクロコンピュータを備えたシステムであるが、各手段を各々別のコンピュータシステムにより構成するようにしてもよい。なお制御手段５は上記画像処理以外にも校正装置の各部の制御処理や後段の現像装置との通信制御処理なども行うが、ここでは説明を省略する。
【００３４】
なお、上記実施の形態では、ＲＧＢ変換手段２３の後段にデータバッファ２４を配置したが、この順序を逆にしてもよい。すなわち、まずデータバッファ２４により適宜のブロックサイズの２値画像データＤ２（またはＤ１）を読み出し、それに応じてＲＧＢ変換手段２３で順次画像データをＲＧＢ変換するようにしてもよい。
【００３５】
次に本発明に係る抜け画素変換手段２２の構成について図３の機能的ブロック図を用いて説明する。まず前記抜け画素変換手段２２は、所定のアドレス長を有するラインメモリからなる配列メモリ３０と、前記配列メモリ３０に対しビット情報を書き込むための抜け画素位置設定手段３１とを有する。前記配列メモリ３０は、例えば図６（Ｄ）に示すようなラインメモリであって、各アドレスには「０」または「１」のビット情報が書き込まれる。また前記ラインメモリのアドレス長は、記録する最大画像データの主走査方向長と同じか、それよりも小さく設定されている。
【００３６】
前記抜け画素位置設定手段３１は、前記配列メモリ３０の各アドレス上に、「０」または「１」のビット情報を設定するものである。例えば、前述したＫ版画像データ上に形成する抜け画素の割合を主走査方向および副走査方向に各々１／４とすると、この抜け画素位置設定手段３１は前記配列メモリ３０の４アドレス毎に「１」のビット情報を設定するものである。なお、前記抜け画素の割合は作業者が予め複数の数値から選択することができるものである。また主走査方向および副走査方向の割合は、画像処理の均一性から考えて同一が好ましいが、異なる割合を設定してもよい。
【００３７】
また、抜け画素変換手段２２は、前記ＹＭＣＫの各２値画像データＤ１を記憶手段２１から送出する画像データ送出手段３２と、送出された画像データＤ１に基づいて画素の重なりを判断する判断手段３３と、前記判断結果に基づき前記配列メモリ３０からビット情報を読み出して変換指令信号を発生する配列メモリ読出手段３４と、前記変換指令信号に基づいてＫ版の画像データの画素を抜け画素に変換する画素変換手段３５とを有する。
【００３８】
画像データ送出手段３２は、前記抜け画素位置設定手段３１で設定された抜け画素の割合に応じて抜け画素変換処理する主走査ラインを副走査方向にスキップするものである。例えば、前述のように抜け画素の割合が主走査方向および副走査方向とも１／４の場合、図６（Ｂ）で示すように副走査方向では４主走査ライン間隔で抜け画素変換を行なえばよい。すなわち変換を行う主走査ライン間の３本の主走査ラインでは抜け画素画素変換が不要なため、変換を行わずそのままＫ版の画像データを図のア方向で示すようにデータバッファ２４へ送出する。一方、変換を行う主走査ラインの場合は、画像データ送出手段３２がＹＭＣＫの各画像データＤ１を判断手段３３に送出するとともに、Ｋ版の画像データを図のイ方向で示すように画素変換手段３５へ送出する。なお、上記いずれであってもＹＭＣの画像データは変換されずに図のア方向で示すようにデータバッファ２４へ送出される。
【００３９】
このようなスキップ動作は、例えば、画像データ送出手段３２内に図示しないカウンターを備えておいて、主走査ラインの処理毎に当該カウンターを計数し、計数値が前記割合に達する毎に前記抜け画素変換を行なうよう画像データを送出すればよい。もしくは抜け画素位置設定手段３１などが、前記割合に応じたタイミングでスキップを指令するようにしてもよい。なお通常モードのように抜け画素変換が全くない場合は、前記抜け画素位置設定手段３１が前記画像データ送出手段３２に対し、ＹＭＣＫの全画像データを抜け画素変換せずに図のア方向で示すようにデータバッファ２４へ送出するように指令する。
【００４０】
この実施の形態のようなスキップ処理を行えば、画像データの変換に係る時間を短縮することができるという利点がある。しかしながら全ての場合において全画像データを判断手段３３へ送出し、抜け画素変換を行わない主走査ラインでは判断手段３３の判断結果を常に「画素の重なりがない」とすることで、同一処理ルーチンで処理するようにしてもよい。
【００４１】
判断手段３３では、ＹＭＣＫの画像データＤ１に基づいてＫ版の画素とＹＭＣの画素とが重なるかどうかを判断する。この判断は主走査方向に順次１画素づつ行われる。Ｋ版の画素値が「１」であり、かつＹＭＣのいずれかの画素値が「１」の場合には重なりがあると判断して、配列メモリ読出手段３４に読出指令信号を出力する。一方、重なりがないと判断された場合は前記画素変換手段３５へ変換不要信号を出力する。
【００４２】
配列メモリ読出手段３４は、判断手段３３からの読出指令信号に応じて前記配列メモリ３０のビット情報を読み出すものであって、「１」のビット情報を読み出した場合は変換指令信号を画素変換手段３５に出力し、「０」のビット情報を読み出した場合は変換不要信号を画素変換手段３５へ出力する。なお、この読み出しは順次配列メモリ３０のアドレスが順次インクリメントされて行われ、読み出しが最終アドレスに至った場合は開始アドレスにサイクリックに復帰するようにしている。これにより配列メモリ３０のアドレス長を主走査ライン長よりも短く設定することができる。なお当然のことながら配列メモリ３０のアドレス長が主走査ライン長以上であれば、上記のようなサイクリックな使用をしなくてもよい。
【００４３】
画素変換手段３５は、前記変換不要信号または変換指令信号の入力にともないＫ版の画像データを各画素毎に処理するものであって、変換指令信号が入力された場合は画素値を「１」から「０」に変換し、変換不要信号が入力された場合は画素値を変換しない。
【００４４】
この抜け画素変換手段２２では、前記配列メモリ３０に設定されたビット情報に基づいて抜け画素を設定することができる。なお上記の例では前記配列メモリ３０に設定されたビット情報は、一定画素間隔に配置されているが、設定された割合に応じてランダムな配置にしてもよい。例えば、抜け画素の一定配列によりモアレパターンなどが生じる可能性があるときに有効である。また前記配列メモリ３０の読み出し開始アドレスを各主走査ライン毎に適宜オフセット変更してもよい。
【００４５】
次に前記校正装置における動作について図４および図５のフローチャートを用いて説明する。なお図４は校正出力を行う全体作業のフローを示すフローチャートであり、図５は前記抜け画素変換に伴う画像データ変換のフローを示すフローチャートである。まずステップＳ１では、校正作業を行うにあたっての初期設定が行われる。この初期設定では、Ｋ版を通常どおり出力する通常モードとＫ版の重なり状態を確認する確認モードとの出力モードの切替設定や、前記確認モードにおける抜け画素の割合を設定することができる。また、他の設定として、印刷する画像データの選定や出力枚数や出力サイズなどの設定も行なわれる。
【００４６】
ステップＳ２では感光材料がドラム１に対し供給される。すなわち前記カセットマガジン１０または１１から出力サイズに応じて感光材料が切り出されてドラム１に巻回される。ステップＳ３では前記出力モードが確認され、通常モードの場合はステップＳ４に進み通常の画像データ変換が行われる。すなわち画像データＤ０がＲＩＰ処理されてＹＭＣＫの２値の画像データＤ１に変換され、ついでＲＧＢ変換によって画像データＤ３に変換される。確認モードの場合はステップＳ３からステップＳ５へ進み、抜け画素変換を含む画像データ変換が行われる。すなわち画像データＤ０がＲＩＰ処理されてＹＭＣＫの２値の画像データＤ１に変換され、ついで抜け画素変換により画像データＤ２に変換され、最後にＲＧＢ変換によって画像データＤ３に変換される。
【００４７】
ステップＳ６では、前記ステップＳ４またはＳ５により変換された画像データに基づいて露光が行われる。そして露光が終了すれば、ステップＳ７で感光材料がドラム１より排出され、ついでステップＳ８では後段の現像処理装置によって現像処理される。
【００４８】
上記フローでは理解しやすいように各工程を直列に示しているが、可能であれば各工程を並行に処理したり所定の工程を前後させてもよい。一例として、例えばステップＳ２の感光材料の供給に先駆けて画像データの変換を行ってもよい。また画像データの変換を行いつつ順次変換が終了した画像データにより並行して露光を行っても良い。
【００４９】
続いて、前記ステップＳ５における画像データ変換の中から抜け画素変換の工程だけを説明する。まずステップＰ１では配列メモリ３０が準備される。すなわち設定された抜け画素の割合に応じて前記配列メモリ３０上に抜け画素を設定するタイミングを表すビット情報「１」を書き込む。ステップＰ２からは、該当する主走査方向に順次Ｋ色の画素とＹＭＣの画素との重なりを判断する。ここで該当する画素に重なりがあった場合はステップＰ３へ進み、ない場合は該当するＫ版の画素の変換を行わずにステップＰ６へ進む。
【００５０】
ステップＰ３では、前記配列メモリ３０を順次読み出す。そしてステップＰ４では読み出したビット情報が「１」であれば抜け画素変換位置であると判断してステップＰ５へ進み、「０」であれば該当するＫ版の画素の変換を行わずにステップＰ６へ進む。ステップＰ５では該当するＫ版の画素を「１」から「０」に変換して抜け画素を形成する。ステップＰ６では該当する主走査ライン上の全ての画素に対し処理が終了したかどうかを判断し、処理が終了した場合はステップＰ７へ進み、処理が終了していない場合はステップＰ８で処理を行う画素のアドレスを次画素にインクリメントしてステップＰ２へ戻る。
【００５１】
該当する主走査ラインにおける変換が終了すれば、ステップＰ７では前記割合に応じて主走査ラインがスキップされる。そしてステップＰ９では全主走査ラインに対し処理が終了したかどうかを判断する。全てのラインが終了したと判断されれば本フローは終了する。まだ処理されていない主走査ラインが残存する場合は、主走査方向の画素アドレスや配列メモリの読み出しアドレスなどをリセットしてステップＰ２へ戻る。
【００５２】
［その他の実施の形態］
（１）前記配列メモリ３０に設定するビット情報とＫ版の画像データの画素値とを論理演算して抜け画素変換を行うようにしてもよい。例えば前記配列メモリ３０に設定するビット情報を、抜け画素の有る場合に「０」、ない場合に「１」と設定し、前記配列メモリ読出手段３４で読み出したビット情報とＫ版の画像データの画素値との論理積をとればよい。
【００５３】
（２）前記配列メモリ３０のアドレスは、Ｋ版の画素が重なった場合に順次インクリメントされるよう構成されているが、各画素を判断する毎にインクリメントされるように構成しても巨視的には同一の効果がある。
【００５４】
（３）前記配列メモリ３０にはライン状のアドレス設定をしたメモリを用いたが、２次元のアドレス設定をしたメモリを用いてもよい。また配列メモリ３０を用いずに、所定のカウンタを用いて抜け画素を設定する間隔を計数するようにしてもよい。例えば、Ｋ版の画素が他版の画素と重なる回数をカウンターにより計数し、所定の回数毎に抜け画素に変更する構成などが考えられる。
【００５５】
【発明の効果】
請求項１に記載の発明では、Ｋ版の画素と他の色版の画素とが重なる場合に適宜の割合でＫ版の画素を抜け画素に変更するため、作業者が目視した場合にＫ版を透かしたように他色の画像を視認することができる。これによりトラップ処理や文字のせなどの製版作業を確認することができる。
【００５６】
請求項２に記載の発明では、定められた一定の画素間隔で抜け画素への変換を行うことができるため、変換作業を簡易にすることができる。
【００５７】
請求項３に記載の発明は、画素間隔を可変することができるので、Ｋ版に重なる他の色版の透過の具合を可変することができる。
【００５８】
請求項４に記載の発明では、副走査方向に所定数の主走査ラインをスキップするようにしているので、画像変換工程を短縮することができる。
【００５９】
請求項５に記載の発明は、ラインメモリに抜け画素位置を設定する用にしているので、種々の抜け画素配置パターンを容易に設定することができる。
【００６０】
請求項６に記載の発明は、ラインメモリをサイクリックに使用することで小さなラインメモリを使用することができる。
【００６１】
請求項７に記載の発明は、主走査方向の抜け画素位置を適宜変更することにより、簡単な手法で抜け画素の配置パターンが均一になることを防止することができる。
【００６２】
請求項８に記載の発明は、抜け画素の配置を乱数設定することによりモアレパターンの発生の可能性を少なくすることができる。
【００６３】
請求項９に記載の発明は、抜け画素の配置を設定するラインメモリを備えなくてもよいという効果がある。
【００６４】
請求項１０に記載の発明は、Ｋ版の重ね状態を観察可能な第１のモードと通常の第２のモードとを切替可能としているので、例えば製版作業の確認が主であれば第１のモード、色具合などを確認するのが主であれば第２のモードというように目的にあって切り替えることができる。
【００６５】
請求項１１および１２に記載の発明では、Ｋ版の画素と他の色版の画素とが重なる場合に適宜の割合でＫ版の画素を抜け画素に変更するため、作業者が目視した場合にＫ版を透かしたように他色の画像を視認することができる。これによりトラップ処理や文字のせなどの製版作業を確認することができる。特にＹＭＣ上に重ねられたＫ色の重ね状態が判別しにくい３層の発色層を備える感光材料では効果が大きい。
【００６６】
請求項１３に記載の発明では、定められた一定の画素間隔で抜け画素への変換を行うことができるため、変換作業を簡易にすることができる。
【００６７】
請求項１４に記載の発明では、副走査方向に所定数の主走査ラインをスキップするようにしているので、画像変換工程を短縮することができる。
【００６８】
請求項１５に記載の発明は、抜け画素の配置を乱数設定することによりモアレパターンの発生の可能性を少なくすることができる。
【図面の簡単な説明】
【図１】この発明の実施の形態における校正装置の側面概要図である。
【図２】同校正装置において画像データ処理関係の制御を行う制御手段のブロック図である。
【図３】同制御手段における抜け画素変換手段の機能的なブロック図である。
【図４】同校正装置の作業工程を表すフローチャートである。
【図５】抜け画素変換の工程を表すフローチャートである。
【図６】抜け画素に係る説明図である。
【符号の説明】
１    ドラム
２    供給手段
３    排出手段
４    記録手段
５    制御手段
１４    記憶ヘッド
２２    抜け画素変換手段
３０    配列メモリ
３１    抜け画素位置設定手段
３２    画像データ送出手段
３３    判断手段
３４    配列メモリ読出手段
３５    画素変換手段
【図１】
0003698979.tif 000002
【図２】
0003698979.tif 000003
【図３】
0003698979.tif 000004
【図４】
0003698979.tif 000005
【図５】
0003698979.tif 000006
【図６】
0003698979.tif 000007